(57)【要約】【課題】  伝送条件に応じて、データ通信速度を制御することにより、バッテリーの急速な消耗を防ぐ携帯電子機器を提供する。【解決手段】  制御部は、伝送環境状態がよく、所定以上のスピードでデータ通信が行うことができると判断した場合は、制御部の伝送状態通知手段によって、伝送環境状態がＵＳＢコントローラに知らされ、ＨＳ通信を行う。また、制御部は、無線部の伝送環境状態が悪くなり、所定以上のスピードでデータ通信が行うことができないと判断した場合は、制御部の伝送状態通知手段によって、無線部の伝送環境状態がＵＳＢコントローラに知らされ、そのままＬＳ通信を行う。このように、無線の伝送環境状態に合わせて、ＵＳＢデータ通信速度を切替えることにより、バッテリーの早期消耗を防ぐことが可能となる。【選択図】  図２
2006330831.tif 000002
【特許請求の範囲】
【請求項１】
ＵＳＢインターフェースを含む通信インターフェースと、実際のデータ通信を制御するコントローラ手段と、を備え、該通信インターフェースと接続した外部機器との間でデータの通信を行う携帯電子機器であって、
前記コントローラ手段に対して高速データ伝送モードと低速データ伝送モードの切替る伝送速度切替手段と、
モデムを含むデータ伝送系の伝送状態を知らせる伝送状態通知手段と、
各手段の制御を含む装置の全体の統括制御を行う制御部と、
を備え、
前記伝送速度切替え手段は、前記伝送状態通知手段により、良好な前記伝送状態の情報が得られた場合、前記高速データ伝送モードに、良好でない前記伝送状態の情報が得られた場合、前記低速データ伝送モードに切替え、前記伝送状態に応じて、不要な電力を消費することを避けることを特徴とする携帯電子機器。
【請求項２】
ＵＳＢインターフェースを含む通信インターフェースと、実際のデータ通信を制御するコントローラ手段と、を備え、該通信インターフェースと接続した外部機器との間でデータの通信を行う携帯電子機器であって、
前記コントローラ手段に対して高速データ伝送モードと低速データ伝送モードの切替る伝送速度切替え手段と、
各手段の制御を含む装置の全体の統括制御を行う制御部と、
前記外部機器に転送する転送データの容量を判定する容量判定手段と、
を備え、
通信先の前記外部機器にデータを転送する際に、前記伝送速度切替え手段は、前記容量判定手段により転送データが大容量であると判定された場合は、前記高速データ伝送モードに、比較的小容量のデータであると判定された場合は、前記低速データ伝送モードに切替ることにより、前記転送容量に応じて、不要な電力を消費することを避けることを特徴とする携帯電子機器。
【請求項３】
ＵＳＢインターフェースを含む通信インターフェースと、実際のデータ通信を制御するコントローラ手段と、を備え、該通信インターフェースと接続した外部機器との間でデータの通信を行う携帯電子機器であって、
前記コントローラ手段に対して高速データ伝送モードと低速データ伝送モードの切替る伝送速度切替え手段と、
各手段の制御を含む装置の全体の統括制御を行う制御部と、
外部機器となるホスト側に転送する転送データの容量を判定する容量判定手段と、
伝送速度を切り替える際バスにリセットをかける手段と、
を備え、
通信先の前記外部機器にデータを転送する際に、前記伝送速度切替え手段は、前記容量判定手段により転送データが大容量であると判定された場合は、前記高速データ伝送モードに、比較的小容量のデータであると判定された場合は、前記低速データ伝送モードに、バスをリセット後、伝送モードを切替ることにより、前記転送容量に応じて、不要な電力を消費することを避けることを特徴とする携帯電子機器。
【請求項４】
伝送速度切替え手段は、オペレータの判断情報により、高速データ伝送モードまたは低速データ伝送モードに選択して切替ることを特徴とする請求項１から請求項３のいずれか１項に記載の携帯電子機器。
【発明の詳細な説明】
【技術分野】
【０００１】
本発明は、ＵＳＢインターフェースを有する携帯電子機器に関し、特に、データ通信速度を制御し、バッテリーの急速な消耗を防ぐ低省電力化を図る携帯電子機器に関する。
【背景技術】
【０００２】
最近、ＵＳＢ等のインターフェースを有し、パーソナルコンピュータ（以下「ＰＣ」という）等のホストとデータの送受信を行う機能を備える携帯電話等の携帯電子機器が多数ある。
【０００３】
また、ＰＣが、インターネット等に接続して、データ通信を行う場合、モデムとなる携帯電子機器をＰＣに接続すれば、データの送受信が可能となる。
【０００４】
また、ホストとなるＰＣと携帯電子機器に保存してある撮影した写真や個人情報等のデータ通信を行う場合、同様に、これらのインターフェースを有する携帯電子機器とＰＣを接続することによって、データの送受信を行うことが可能となる。
【０００５】
上記のようにＰＣと携帯電子機器を接続し、データ通信させた場合、まず、ＰＣは、接続された携帯電子機器がハイスピード通信（以下「ＨＳ通信」という）モードに対応しているか確認する。ＨＳ通信モードに対応していれば、以後、ＨＳ通信モードでデータ通信を行う。もし、ＨＳ通信モードに対応していなければ、フルスピード通信（以下「ＦＳ通信」という）モードでデータ通信を行う。
【０００６】
しかし、この場合、一度ＨＳ通信モード、あるいはＦＳ通信モードのデバイスとしてホストに認識されると、リセットをかけるか、再接続するまで認識時の通信モードでデータ通信が行われる。
【０００７】
例えば、ホストと携帯電話が接続される場合、いずれもＵＳＢ２．０でＨＳ対応である場合は、常にＨＳ通信により通信が行われる。このため、バッテリー駆動の携帯電子機器では、比較的低速な通信を行う場合に比べ、ＨＳ通信を行う場合はバッテリーの消耗が速くなってしまうという問題がある。
【０００８】
このような問題に対して、特許文献１（「特開２００４−３１０１７８号公報」）では、携帯電子機器の電源が外部電源か内部電池かを検出し、外部電源の場合は、高速通信（ＨＳ）を行い、内部電池の場合は、低速通信（以下「ＬＳ通信」という）モードで通信を行うことによりバッテリーの急速な消耗を防ぐ電子機器および通信方法が開示されている。
【０００９】
また、内部電池の残量を検出することにより、残量が十分多い場合は、ＨＳ通信を、残量が少ない場合は、ＬＳ通信を行うことにより、バッテリーの急速な消耗を防ぐ手法が開示されている。
【特許文献１】特開２００４−３１０１７８号公報
【発明の開示】
【発明が解決しようとする課題】
【００１０】
しかしながら、上記特許文献１に記載の電子機器および通信方法では、内部電池を使用していてもバッテリーの残量が十分ある場合は、常に、ＨＳ通信モードで通信を行うため、高速通信を行う必要がなくても高速通信を行ってしまい、結果的にバッテリーの消耗をはやめてしまうという問題がある。
【００１１】
そこで、本発明は上記の問題を解決するために提案されたものであり、データ通信速度を制御することにより、バッテリーの急速な消耗を防ぐ携帯電子機器を提供することを目的としている。
【課題を解決するための手段】
【００１２】
上記課題を解決するために、本発明に係る携帯電子機器は、上記に示す構成からなり、以下に示す特徴を備えている。
【００１３】
本発明に係る携帯電子機器は、ＵＳＢインターフェースを含む通信インターフェースと、実際のデータ通信を制御するコントローラ手段と、を備え、該通信インターフェースと接続した外部機器との間でデータの通信を行う携帯電子機器であって、前記コントローラ手段に対して高速データ伝送モードと低速データ伝送モードの切替る伝送速度切替え手段と、モデムを含むデータ伝送系の伝送状態を知らせる伝送状態通知手段と、各手段の制御を含む装置の全体の統括制御を行う制御部と、を備え、前記伝送速度切替え手段は、前記伝送状態通知手段により、良好な前記伝送状態の情報が得られた場合、前記高速データ伝送モードに、良好でない前記伝送状態の情報が得られた場合、前記低速データ伝送モードに切替え、前記伝送状態に応じて、不要な電力を消費することを避けることを特徴とする。
【００１４】
また、本発明に係る携帯電子機器は、ＵＳＢインターフェースを含む通信インターフェースと、実際のデータ通信を制御するコントローラ手段と、を備え、該通信インターフェースと接続した外部機器との間でデータの通信を行う携帯電子機器であって、前記コントローラ手段に対して高速データ伝送モードまたは低速データ伝送モードに切替る伝送速度切替え手段と、各手段の制御を含む装置の全体の統括制御を行う制御部と、前記外部機器に転送する転送データの容量を判定する容量判定手段と、を備え、通信先の前記外部機器にデータを転送する際に、前記伝送速度切替え手段は、前記容量判定手段により転送データが大容量であると判定された場合は、前記高速データ伝送モードに、比較的小容量のデータであると判定された場合は、前記低速データ伝送モードに切替ることにより、前記転送容量に応じて、不要な電力を消費することを避けることを特徴とする。
【００１５】
また、本発明に係る携帯電子機器は、ＵＳＢインターフェースを含む通信インターフェースと、実際のデータ通信を制御するコントローラ手段と、を備え、該通信インターフェースと接続した外部機器との間でデータの通信を行う携帯電子機器であって、前記コントローラ手段に対して高速データ伝送モードと低速データ伝送モードの切替る伝送速度切替え手段と、各手段の制御を含む装置の全体の統括制御を行う制御部と、外部機器となるホスト側に転送する転送データの容量を判定する容量判定手段と、伝送速度を切り替える際バスにリセットをかける手段と、を備え、通信先の前記外部機器にデータを転送する際に、前記伝送速度切替え手段は、前記容量判定手段により転送データが大容量であると判定された場合は、前記高速データ伝送モードに、比較的小容量のデータであると判定された場合は、前記低速データ伝送モードに、バスをリセット後、伝送モードを切替ることにより、前記転送容量に応じて、不要な電力を消費することを避けることを特徴とする。
【００１６】
また、本発明に係る携帯電子機器は、伝送速度切替え手段は、オペレータの判断情報により、高速データ伝送モードまたは低速データ伝送モードに選択して切替ることを特徴とする。
【発明の効果】
【００１７】
本発明に係る携帯電子機器によれば、以下の効果が得られる。
【００１８】
通信速度を替えることが可能な通信コントローラと、各種データを格納するメモリと、通信用モデムとから構成され、無線部の伝送状態の情報をＵＳＢコントローラへ知らせる手段を備えることにより、無線の伝送環境状態に合わせて、自動的に通信速度を高速モードまたは低速モードに切替ることができ、バッテリーの早期消耗を防ぐことが可能となる。
【００１９】
また、内部のメモリから周辺機器（外部機器）、あるいはホストとなるパソコン等にデータを転送する際に、転送データが大容量である場合は、低速データ伝送モードに、転送データが比較的小容量である場合は、高速データ伝送モードに切替えることにより、転送データが大容量の場合等において、不要な電力を消費することを避けることが可能となる。
【００２０】
また、データ通信を行う際に、ホスト側（例えば、パソコン）とデバイス側である携帯電子機器を接続した後、携帯電子機器は、ユーザに対して、高速データ伝送モードか低速データ伝送モードかのどちらの通信モードを選択するかの問い合わせを行い、オペレータであるユーザが高速伝送モードを選択した場合は高速データ伝送モードに、低速伝送モードを選択した場合は低速データ伝送モードになるようにＵＳＢコントローラの設定を行い、ユーザが所望するデータ伝送を行うことを可能にする。
【発明を実施するための最良の形態】
【００２１】
以下、本発明に係る携帯電子機器の実施形態について、図面を参照して詳細に説明する。
【００２２】
＜本発明に係る第１の実施形態の説明＞
図１は、第１の実施形態図に係る携帯電子機器１の概略構成を示すブロック図である。
【００２３】
第１の実施形態図に係る携帯電子機器１は、ＵＳＢコントローラ１１と、各種データを格納するメモリ１２と、通信用のモデム１３と、無線部（図示していない；モデム内部に存在）の伝送環境状態をＵＳＢコントローラ１１へ知らせる伝送状態通知手段（後記する制御部内に存在する）と、各部の制御及び装置全体の統括制御を行う制御部１４と、を備えて構成されている。
【００２４】
また、ＵＳＢコントローラ１１は、ホストコンピュータ１０と接続されており、携帯電子機器１０とホストコンピュータ１０の間でデータの送受信が行われる。
【００２５】
次に、図２に示すフローチャートを用いて、第１の実施形態に係る携帯電子機器１の動作を説明する。
【００２６】
図２は、第１の実施形態図に係る携帯電子機器１の動作を示すフローチャートである。
【００２７】
まず、モデムにてデータ通信を行うとき（ステップＳ１０）、制御部１４は、もし、電池残量がわずかの場合は、少しでも消費電力を抑え、低速の通信モードで通信を行う必要があるため、携帯電子機器１の電池の残量が十分であるか否かの判定を行う（ステップＳ１１）。
【００２８】
携帯電子機器１の電池の残量が十分でないと判定した場合（ステップＳ１１；Ｎｏ）は、ＬＳ通信モード（低速の通信モード）で通信を行う（ステップＳ１４）。
【００２９】
一方、制御部１４は、電池残量が十分であると判定した場合（ステップＳ１１；Ｙｅｓ）には、通信の伝送状態が良好であるか否かを判定する（ステップＳ１２）。
【００３０】
ここで、制御部１４は、伝送環境状態がよく、所定以上のスピードでデータ通信が行うことができると判断した場合は（ステップＳ１２；Ｙｅｓ）、制御部１４の伝送状態通知手段によって、無線部の伝送環境状態がＵＳＢコントローラ１１に知らされ、その時点で、ＵＳＢコントローラ１１はＨＳデバイスとして認識されて、ＨＳ通信モードで通信を行う（ステップＳ１３）。
【００３１】
また、制御部１４は、無線部の伝送環境状態が悪くなり、所定以上のスピードでデータ通信が行うことができないと判断した場合は（ステップＳ１２；Ｎｏ）、制御部１４の伝送状態通知手段によって、無線部の伝送環境状態がＵＳＢコントローラ１１に知らされ、その時点でＵＳＢコントローラ１１は、ＬＳデバイスとして認識されて、そのままＬＳ通信モードで通信を行う（ステップＳ１４）。
【００３２】
このように、無線の伝送環境状態に合わせて、ＵＳＢデータ通信速度を切替えることにより、通信環境が悪くなっても、常に消費電力の大きな高速通信モードで通信を行う従来方式と異なりバッテリーの早期消耗を防ぐことが可能となる。
【００３３】
＜本発明に係る第２の実施形態の説明＞
次に、携帯電子機器１に係る第２の実施形態について、図３及び図４に基づいて説明する。
【００３４】
図３は、第２の実施形態に係る携帯電子機器１の概略構成を示すブロック図である。
【００３５】
本実施形態に係る携帯電子機器１の構成は、図３に示すように、第１の実施形態の場合と同じ構成であるため、各部の構成要素の説明は省略する。
【００３６】
ここで、ＵＳＢ  ＯｎＴｈｅ  Ｇｏ（以下ＯＴＧ）では、携帯電話等の機器でもホストとして通信することができるため、第２の実施形態に係る携帯電子機器１は、ＵＳＢインターフェースを有する周辺機器（「外部機器」）と接続して、データ伝送を行うものである。
【００３７】
図４は、第２の実施形態に係る携帯電子機器１の動作を示すフローチャートである。
【００３８】
まず、携帯電子機器１がホストとして周辺機器１５とデータ通信を開始し（ステップＳ２０）、制御部１４は、電池残量がわずかの場合は、少しでも消費電力を抑えて、低速の通信モードで通信を行うために、携帯電子機器１の電池の残量が十分であるか否かを判定する（ステップＳ２１）。
【００３９】
制御部１４は、携帯電子機器１の電池の残量が十分でないと判定した場合（ステップＳ２１；Ｎｏ）は、少しでも消費電力を抑えて、ＬＳ通信を行う（ステップＳ２４）。
【００４０】
一方、制御部１４は、電池残量が十分であると判定した場合（ステップＳ２１；Ｙｅｓ）には、転送したいデータの容量が比較値より大きいか否かを判定する（ステップＳ２２）。
【００４１】
制御部１４は、メモリ１２から周辺機器１５側に転送する際にある一定以上の容量のデータである場合（ステップＳ２２；Ｙｅｓ）は、ＨＳ通信（伝送速度の速い通信モード）で通信を行う（ステップＳ２３）。
【００４２】
一方、一定以下の容量のデータである場合（ステップＳ２２；Ｎｏ）は、ＬＳ通信（伝送速度の遅い通信モード）に切替える（ステップＳ２４）。これにより、使用者にストレスを与えることなく、不要な電力を消費することを避けることが可能となる。
【００４３】
ここで、通信モード切替えの境となるデータの転送容量の値は、あらかじめ設定しておくこととし、この値は、適切な値に設定可能とする。
【００４４】
ここで、以下に、低速通信モードと高速通信モードにおける消費電力の比較及び通信モード切替え効果について説明をしておく。
【００４５】
例えば、特許文献１に記載された例より、ＬＳモード時５Ｖ，２０ｍＡ、ＨＳモード時５Ｖ，２８０ｍＡで動作した場合、実効転送速度をＦＳモード時６Ｍｂ／ｓｅｃ、ＨＳモード時２４０Ｍｂ／ｓｅｃとし、１ＭＢｙｔｅのデータの転送を考えると、ＬＳモード時に対して、ＨＳモード時の消費電力は約２．８６倍と、ＬＳモードとＨＳモードの単位データ当たりの消費電力は差がある。このため、通信モードを切替えることにより、１つのファイルを転送するのに必要な消費電力を変化させることができる。
【００４６】
＜本発明に係る第３の実施形態の説明＞
次に、携帯電子機器１に係る第３の実施形態について、図５及び図６に基づいて説明する。
【００４７】
本実施形態に係る携帯電子機器１の構成は、図５に示すように、第２の実施形態の場合と同じ構成であるため、各部の構成要素の説明は省略する。
【００４８】
図６は、第３の実施形態に係る携帯電子機器１の動作を示すフローチャートである。
【００４９】
まず、通信相手がパソコン等のホストで携帯電子機器１が周辺機器として通信を開始すると（ステップＳ３０）、制御部１４は、パソコン１６から電流の供給がされているか否かを判定する（ステップＳ３１）。電量の供給がなされていない場合（ステップＳ３１；Ｎｏ）、電池残量が十分か否かを判定する（ステップＳ３２）。
【００５０】
電池残量が不十分であると判定した場合は（ステップＳ３２；Ｎｏ）、少しでも消費電力を抑えるために、ＬＳ通信（低速の通信モード）モードで通信を行う（ステップＳ３８）。
【００５１】
一方、電池残量が十分であると判定した場合は（ステップＳ３２；Ｙｅｓ）、転送したいデータの容量を判定する（ステップＳ３３）。メモリ１２からパソコン１６側に転送する際に、所定以下の容量のデータを転送する場合は（ステップＳ３３；Ｎｏ）、現在の通信モードがＬＳ通信モードであるか否かを判定する（ステップＳ３４）。現在の通信速度がＬＳモードである場合（ステップ３４；Ｙｅｓ）には、そのまま、ＬＳ通信モードで通信を行う（ステップＳ３８）。
【００５２】
一方、ＬＳモードでないと判定した場合（ステップＳ３４；Ｎｏ）には、バスリセット手段によりバスリセットをかけ、伝送速度の遅い通信モード（ステップＳ３８；ＬＳ通信モード）に切替ることにより、使用者にストレスを与えることなく、不要な電力を消費することを避けることが可能となる。
【００５３】
ここで、上記実施形態と同様に、通信モードを切替る境となるデータ転送容量の値はあらかじめ設定しておくこととし、この値は、適切な値に設定可能とする。
【００５４】
また、ステップＳ３３において、メモリ１２からパソコン１６側に転送する際に、所定以上の容量のデータを転送する場合（ステップＳ３３；Ｙｅｓ）は、現在の通信モードがＨＳモードであるか否かを判定する（ステップＳ３５）。現在の通信速度がＨＳモードである場合（ステップ３５；Ｙｅｓ）には、そのまま、ＨＳ通信モードで通信を行う（ステップＳ３８）。
【００５５】
一方、現在の通信速度がＨＳモードでない場合（ステップ３５；Ｎｏ）には、ステップＳ３４の「Ｎｏ」の場合と同様に、バスリセット手段によりバスリセットをかけ、伝送速度の早い通信モード（ステップＳ３８；ＨＳ通信モード）に切替ることにより、使用者にストレスを与えることなく、不要な電力を消費することを避けることが可能となる。
【００５６】
＜本発明に係る第４の実施形態の説明＞
最後に、携帯電子機器１に係る第４の実施形態について、図７に基づいて説明する。
【００５７】
第４の実施形態に係る携帯電子機器１の構成は、第１の実施形態の場合と同じ構成であるため、各部の構成要素の説明は省略する。
【００５８】
図７は、第４の実施形態に係る携帯電子機器１の動作を示すフローチャートである。
【００５９】
第４の実施形態に係る携帯電子機器１は、データ通信を開始する場合（ステップＳ４０）、ホスト側とデバイス側である携帯電子機器１を接続直後、携帯電子機器１が、例えば“通信モードをＨＳにしますか？”というメッセージを出し、オペレータであるユーザが“Ｙｅｓ”と選択した場合は、ＨＳ通信モード（高速な通信モード）に、“Ｎｏ”と選択した場合は、ＬＳ通信モード（低速な通信モード）にＵＳＢコントローラの設定を行う（ステップＳ４１）。これにより、ユーザの意図する伝送を行うことを可能とする。
【００６０】
制御部１４は、ＨＳ通信モードであるか否かを判定する（ステップＳ４２）。
【００６１】
次に、ＬＳ通信モードが選択されたと判定すると（ステップＳ４２；Ｎｏ）、そのままＬＳ通信モードで通信を行う（ステップＳ４８）。一方、ＨＳ通信モードが選択されたと判定すると（ステップＳ４２；Ｙｅｓ）、携帯電子機器１の電池の残量が十分か否かを判定する（ステップＳ４３）。電池の残量が不十分であると判定した場合（ステップＳ４３；Ｎｏ）、オペレータに、電池の残量は少ないがそれでもＨＳ通信モードで通信を行うかどうかを判断させる。そうすることにより、例えば、バッテリーの残り少ないが、携帯電子機器に保持しているホスト側に伝送したいデータも小容量であり、時間もないので高速な通信モードでデータ転送を行いたい、という場合は“Ｙｅｓ”を選択することで高速にデータ伝送でき、また、バッテリーの残量も十分あり、携帯電子機器に保持している伝送したいデータも大容量だが、特に急いで伝送する必要もなく、できるだけバッテリーを長持ちさせたい、という場合は、“Ｎｏ”と選択することで、低速にデータ伝送を行うことが可能となる。
【００６２】
ここで、ＬＳ通信モードが選択された場合（ステップＳ４４；Ｎｏ）、このまま、ＬＳ通信を行う（ステップＳ４８）。
【００６３】
一方、ＨＳ通信モードが選択された場合（ステップＳ４４；Ｙｅｓ）、第１の実施形態の場合と同様に、制御部１４は、無線部の通信環境状態が良好であるか否かを判定する（ステップＳ４５）。制御部１４は、伝送環境状態がよく、ある一定以上のスピードでデータ通信が行うことができると判断した場合は（ステップＳ４５；Ｙｅｓ）、制御部１４の伝送状態通知手段によって、無線部の伝送環境状態がＵＳＢコントローラ１１に知らされ、そのまま、ＨＳ通信モードで通信を行う（ステップＳ４７）。
【００６４】
また、制御部１４は、無線部の伝送環境状態が悪くなり、所定以上のスピードでデータ通信が行うことができないと判断した場合は（ステップＳ４５；Ｎｏ）、“ＨＳ通信の効果がありません”というメッセージを出力し（ステップＳ４６）、制御部１４の伝送状態通知手段によって、無線部の伝送環境状態がＵＳＢコントローラ１１に知らされ、その時点でＵＳＢコントローラ１１は、ＬＳデバイスに切替えられて、ＬＳ通信モードで通信を行う（ステップＳ４８）。
【００６５】
このように、モデムでの通信環境が悪く、ＨＳ通信モードにしてもＬＳ通信モードにしても効果が変わらない場合はＬＳ通信モードとすることにより、不要な消費電力を減らすことが可能となる。
【００６６】
なお、本発明の携帯電子機器は、上記した実施形態に限定されるものではなく、本発明の要旨を逸脱しない範囲内において、種々変更を加え得ることは勿論である。
【図面の簡単な説明】
【００６７】
【図１】第１の実施形態図に係る携帯電子機器１の概略構成を示すブロック図である。
【図２】第１の実施形態図に係る携帯電子機器１の動作を示すフローチャートである。
【図３】第２の実施形態図に係る携帯電子機器１の概略構成を示すブロック図である。
【図４】第２の実施形態に係る携帯電子機器１の動作を示すフローチャートである。
【図５】第３の実施形態に係る携帯電子機器１の概略構成を示すブロック図である。
【図６】第３の実施形態に係る携帯電子機器１の動作を示すフローチャートである。
【図７】第４の実施形態に係る携帯電子機器１の動作を示すフローチャートである。
【符号の説明】
【００６８】
１  携帯電子機器
１０  ホスト
１１  ＵＳＢコントローラ
１２  メモリ
１３  モデム
１４  制御部
１５  周辺機器
１６  パソコン
【図１】
2006330831.tif 000003
【図２】
2006330831.tif 000004
【図３】
2006330831.tif 000005
【図４】
2006330831.tif 000006
【図５】
2006330831.tif 000007
【図６】
2006330831.tif 000008
【図７】
2006330831.tif 000009